(57)【特許請求の範囲】
【請求項１】
作品の画像データをサーバーに送信するアーティスト端末と、前記作品に対する入札データを前記サーバーに送信するコレクター端末と、入札期間を設定して前記作品のオークションを行うサーバーとを有する作品販売コンピュータシステムにおいて、
前記サーバーは、
前記アーティスト端末並びにコレクター端末のアカウント情報、及び前記作品のデータを記憶する記憶手段と、
前記アーティスト端末及びコレクター端末との間でデータの送受信の制御を行う制御手段とを備え、
前記制御手段は、前記作品のデータを送信した端末のアカウント情報を取得し、当該アカウント情報が前記記憶手段に記憶されているいずれかのアーティスト端末のアカウント情報と一致するとき、前記作品が前記アーティスト端末から最初に出品された作品に対して行われるプライマリーオークションを目的として出品されたものであると判定し、入札してきたコレクターの中から落札者を選択するよう、当該アーティスト端末に求める信号を送信し、
前記取得したアカウント情報が前記記憶手段に記憶されているいずれかのコレクター端末のアカウント情報と一致するとき、前記作品が転売目的として出品された作品に対して行われるセカンダリーオークションを目的として出品されたものであると判定し、入札価格が最も高いコレクターを落札者として決定し、
前記セカンダリーオークションで落札された前記作品の転売価格のうち前記アーティストに還元される所定の額を算出することを特徴とする作品販売コンピュータシステム。
【請求項２】
請求項１に記載の作品販売コンピュータシステムであって、
前記所定の額は、前記転売価格に一定の還元率を乗算してなる額であることを特徴とする作品販売コンピュータシステム。
【請求項３】
請求項２に記載の作品販売コンピュータシステムであって、
前記還元率は、当該アーティストの当期における総売上金額と該当期の直前の期の総売上金額との差額によって調整されるものであることを特徴とする作品販売コンピュータシステム。
【請求項４】
請求項２に記載の作品販売コンピュータシステムであって、
前記還元率は、当該アーティストの当期における総取引件数と該当期の直前の期の総取引件数との差によって調整されるものであることを特徴とする作品販売コンピュータシステム。
【請求項５】
請求項１〜４に記載の作品販売コンピュータシステムであって、
該作品販売コンピュータシステムは、さらに前記作品に関する意見データを提供するレビュワー端末を有することを特徴とする作品販売コンピュータシステム。
【請求項６】
ネットワークによって互いに接続されたアーティスト端末、コレクター端末、サーバーを介して処理を行う作品販売方法であって、
アーティスト端末から送信されたアーティストの作品の画像データをサーバーが受信するステップと、
前記サーバーが、前記作品の画像データをネットワーク内に公開するステップと、
前記コレクター端末から前記作品の入札のために送信された入札データをサーバーが受信するステップと、
前記作品のオークションを行うために、所定の入札期間を設定するステップと、
前記作品のデータを送信した端末のアカウント情報が前記サーバーの記憶手段に記憶されているいずれかのアーティスト端末のアカウント情報と一致するとき、前記作品が前記アーティスト端末から最初に出品された作品に対して行われるプライマリーオークションを目的として出品されたものであると判定し、入札してきたコレクターの中から落札者を選択するよう、当該アーティスト端末に求める信号を送信するステップと、
前記作品のデータを送信した端末のアカウント情報が前記記憶手段に記憶されているいずれかのコレクター端末のアカウント情報と一致するとき、前記作品が転売目的として出品された作品に対して行われるセカンダリーオークションを目的として出品されたものであると判定し、入札価格が最も高いコレクターを落札者として該サーバー自身が選択するステップと、
前記セカンダリーオークションで落札された前記作品の転売価格のうち前記アーティストに還元する所定の額を算出するステップとを有することを特徴とする作品販売方法。
【請求項７】
請求項６に記載の作品販売方法であって、
前記所定の額を算出するステップは、前記転売価格に一定の還元率を乗算するステップであることを特徴とする作品販売方法。
【請求項８】
請求項７に記載の作品販売方法であって、
前記還元率は、当該アーティストの当期における総売上金額と該当期の直前の期の総売上金額との差額によって調整されるものであることを特徴とする作品販売方法。
【請求項９】
請求項７に記載の作品販売方法であって、
前記還元率は、当該アーティストの当期における総取引件数と該当期の直前の期の総取引件数との差によって調整されるものであることを特徴とする作品販売方法。
【発明の詳細な説明】
【技術分野】
【０００１】
本発明はアーティストが制作した作品をインターネットなどのネットワーク上で売買する作品販売システムおよび作品販売方法に関する。
【背景技術】
【０００２】
毎年、数多くの新人アーティストが誕生し、また数多くの新しい作品が生み出されているが、画廊やギャラリーに出かけても、ほとんど、彼らの作品を見ることはできないであろう。
【０００３】
ギャラリー側にとってみれば、評価が定まっていない彼らの作品を扱うことは、ビジネスからみて、あまりにリスクが大きいからである。従って、よほどギャラリー側からの好意にでも恵まれない限り、彼らの作品は展示されないのである。
【０００４】
ところで、下記特許文献１には、アーティストの作品をインターネット上に展示し、オークションによって販売するシステムが開示されている。このシステムでは、作品をインターネット上に展示する前に、予め一定の要件を満たすかどうかを審査し、要件を満たした作品に対してのみ、推薦状を付してインターネット上に展示するようにしている。
【０００５】
以上のように、アーティストの作品は、ギャラリーや画廊に展示されるにしても、また特許文献１に記載のオークションで展示されるにしても、選別された作品だけが展示されている。これにより、選別されることのない多くの作品、特に新人アーティストの作品が、市場でまったく評価を受けないまま、消滅していっているのが現状である。
【特許文献１】特開2002-251570
【発明の開示】
【発明が解決しようとする課題】
【０００６】
本発明では、多くの人がアーティストの作品を鑑賞して評価できるようにし、かつ適正な価格で取引されるようにし、さらに取引価格の一部を合理的にアーティストに還元することによって、アーティストの創作意欲の増進を図り、アーティスト作品の取引市場を活発化させることが可能な作品販売システムと作品販売方法の提供を目的とする。
【課題を解決するための手段】
【０００７】
本作品販売コンピュータシステムの一観点によれば、作品の画像データをサーバーに送信するアーティスト端末と、前記作品に対する入札データを前記サーバーに送信するコレクター端末と、入札期間を設定して前記作品のオークションを行うサーバーとを有する作品販売コンピュータシステムにおいて、前記サーバーは、前記アーティスト端末並びにコレクター端末のアカウント情報、及び前記作品のデータを記憶する記憶手段と、前記アーティスト端末及びコレクター端末との間でデータの送受信の制御を行う制御手段とを備え、前記制御手段は、前記作品のデータを送信した端末のアカウント情報を取得し、当該アカウント情報が前記記憶手段に記憶されているいずれかのアーティスト端末のアカウント情報と一致するとき、前記作品が前記アーティスト端末から最初に出品された作品に対して行われるプライマリーオークションを目的として出品されたものであると判定し、入札してきたコレクターの中から落札者を選択するよう、当該アーティスト端末に求める信号を送信し、前記取得したアカウント情報が前記記憶手段に記憶されているいずれかのコレクター端末のアカウント情報と一致するとき、前記作品が転売目的として出品された作品に対して行われるセカンダリーオークションを目的として出品されたものであると判定し、入札価格が最も高いコレクターを落札者として決定し、前記セカンダリーオークションで落札された前記作品の転売価格のうち前記アーティストに還元される所定の額を算出することを特徴とする。
【発明の効果】
【０００８】
本システムによれば、下記の効果を得ることができる。
【０００９】
（１）プライマリーオークションと、セカンダリーオークションを、同じシステム内で行っているので、作品に対するオークション全体を円滑に進めることができる。
【００１０】
（２）プライマリーオークションであるか、セカンダリーオークションであるかを、サーバーが迅速に判断することができる。サーバーがプライマリーオークションである判断したとき、落札者の選択権をアーティストに付与している。
【００１１】
このように、アーティストもオークションビジネスに関与するようにしているので、作品の創作へのアーティストのモチベーションを上げることができる。
【００１２】
サーバーがセカンダリーオークションであると判断したとき、最高の入札価格の提示者が落札者として機械的に決定しているので、迅速な取引が可能となる。
【００１３】
（３）落札者の決定の仕方に関して、プライマリーオークションではアーティストに選択権を与え、セカンダリーオークションではアーティストの関与を排除するようにしているので、アーティストの創作意欲を増進させながら、同時にオークションの活性化を図ることができる。
【発明を実施するための最良の形態】
【００１４】
以下に、本発明の実施の形態について、添付図面を参照しながら説明する。
【００１５】
（１）システム全体の構成
本システムはインターネット１などのネットワーク網を利用するもので、図１に示すように、アーティストの端末２、レビュワーの端末３、コレクターの端末４、そして管理者のサーバー５がインターネット１に接続されている。
【００１６】
ここで、アーティストとは、画家、彫刻家、版画家、書家、現代アートの制作者、創作性の高いパフォーマンスを行う表現者などを含み、何らかの作品を生み出す者をいう。また、レビュワーとは、評論家、批評家、ライターなどを含み、作品について何らかの評論を掲載する者全般をいう。コレクターとは、作品を特別に蒐集する者、投資家、アートディーラーなどを含み、アーティスト作品の購入者全般をいう。管理者とは、システム全体の管理・運営を行う者をいう。なお、ユーザーというときは、アーティスト、レビュワー、コレクターを含む。
【００１７】
（２）ユーザーの手続およびアクセスの概要
図２は、サーバーに登録する手続やシステム上での処理を、各ユーザーごとにツリー状に表わした図である。ユーザーはアカウントの登録手続により、本システムの会員になることができる。そして、会員資格を取得後、自分のプロフィールを登録することができる。さらに、ユーザーの種類に応じた種々の処理を行うことができる。以下、これらについて、詳細に説明する。
【００１８】
＜アカウントの登録手続き＞
図３（a）は、外部認証機関が本人確認を行う場合のアカウント登録手続フローを示す図である。アーティストがアーティスト端末101からアーティスト用のアカウント発行を希望して管理者のサーバー102にアクセスすると、サーバー102は他の登録済みユーザーの招待状を受けているかどうかを確認する。招待状が確認できたら、サーバー102は本人の個人情報（メールアドレス、パスワードなど）を要求する。アーティスト端末101がこれに応じてサーバー102に個人情報を送ると、サーバー102では、本人が適正であるかどうか、外部の認証機関103に問い合わせる。認証機関103による認証が得られないとき、アカウントの発行は拒否される。本人の適正が認証されると、サーバー102はアーティスト用アカウントを発行してアーティスト端末101に送る。同時に、本人の個人情報とともに、発行したアーティストのアカウント情報を、サーバー102の記憶装置に登録する。
【００１９】
図３（ｂ）は外部認証機関による本人確認をしない場合のアカウント登録手続フローを示す図である。図のように、認証機関による本人確認の手続が省略されている以外は、図３（a）のフローと同様である。
【００２０】
アカウントの登録は、レビュワーやコレクターについても必要な手続である。登録手続は、アーティスト用アカウントの登録と基本的に同じである。なお、コレクターのアカウント登録では、他の登録済みユーザーによる招待状がなくても登録することが可能である。その代わり、コレクターに対しては、クレジットカード情報の入力などが要求される。
【００２１】
（３）アカウント取得によってユーザーが得る機能
＜プロフィールの登録＞
アカウントが発行されると、図４に示すように、ユーザーはユーザー端末104をログインして自分の「プロフィール」をサーバー102の記憶装置に登録することができる。プロフィールには、名前の他に、履歴や趣味などが掲載される。例えば、アーティストは、自分の作品の展示や表彰歴を掲載できる。レビュワーは、作品の批評などを公開し、コレクターは、蒐集した作品を開示する。このように、プロフィールを登録することにより、ユーザーは、自分を紹介したり、アピールすることができる。
【００２２】
＜アーティストによる作品の登録など＞
図５に示すように、自分の作品に関するデータ（作品の写真、作品情報、作品証明写真、追加情報など）を、アーティスト端末101からサーバー102に登録することにより、システム内で公開することができる。
【００２３】
さらに、アーティストは、プライマリーオークションに出品することができる。また、自分の作品をシステム上で管理できるし、イベント情報等をシステム上に登録して開示することができる。
【００２４】
＜作品に対するレビュワーの意見の登録など＞
図６に示すように、アーティストの作品に関する意見や批評を、レビュワー端末105からサーバー102に登録することにより、システム内で公開することができる。さらに、登録したレビュー記事を外部ブログ等にも貼ることができる。これにより、システム外の潜在的ユーザーに対し宣伝することができる。
【００２５】
＜コレクターによる出品など＞
コレクターは、プライマリーオークションに出品された作品に入札することができる。そして、落札した作品をセカンダリーオークションに出品することもできる。
【００２６】
＜マーク付け手続＞
ユーザーは、他のすべてのユーザーのアカウントに「マーク」を付けることができる。またアーティストの作品に、「マーク」を付けることができる。以下、それぞれについて説明する。
【００２７】
a. 他のユーザーのアカウントにマーク付けする手続き
アカウントを取得したユーザーは、他のユーザーのアカウントに「マーク」を付けることができる。このように、他人のユーザーのページ情報に予めマーク付けをしておくと、以後、他人のページが追加・削除・変更されたときの更新情報がリアルタイムでユーザーに送られてくるので、非常に便利である。例えば、マークしたレビュワーの発信情報の見逃しを防止することができる。
【００２８】
図７（a）は他のユーザーアカウントにマークを付けるときの手続フローを示す。ユーザーのログイン手続き、ユーザー認証によってアクセスの許可がサーバーから下りると、ユーザーは、目的とする他のユーザーのアカウントにアクセスし、他のユーザーのページ情報を要求する。当該ページ情報がサーバーから送られてきたら、マーク付けしてサーバーに送り返すと、マーク付けされたページ情報は、サーバーの記憶装置に格納される。
【００２９】
b. 他人の作品に対するマーク付け
図７（b）は他人の作品にマークを付けるときの手続フローを示す。
【００３０】
マーク付けの手続は、図７（a）に示す他のユーザーのアカウントに「マーク」を付けるユーザーのログイン手続きと、基本的に同じなので、説明は省略する。
【００３１】
このように、アーティストの作品に予めマーク付けをしておくと、以後、アーティストの作品のページが追加・削除・変更されたときの更新情報がリアルタイムでユーザーに送られてくるから、注目している作品の購入機会の見逃しを防止できる。
【００３２】
また誰がどのアカウントに「マーク」しているか、どの作品に「マーク」しているかを、システム内ですべて公開されているから、自分の好みの作品に他のアカウントがマークしていた場合は、当該他のアカウントにアクセスして、そのアカウントがマークしている作品を知ることにより、自分の好みの作品に出会う機会を増やすことが可能となる。
【００３３】
なお、自分のアカウントや作品が他人に「マーク」されている状態を「被マーク」という。「被マーク」の数が多ければ多いほど当該作品やアカウントが注目されているといえるから、「被マーク」の数は注目度の指標を示すものである。
【００３４】
＜自分のアカウントへのアクセス＞
図８は、ユーザーが自分のアカウントにアクセスしたときに自分の電子端末機の表示画面に表示される内容を列挙している。他のユーザーからマークされた被マーク数、自分がマークしたアカウント一覧、作品一覧、アカウント/作品の更新情報、自分が登録したプロフィールなどである。アーティストの場合には、自分が登録した作品が表示され、レビュワーの場合には、自分が登録したレビューが表示され、コレクターの場合には、自分が蒐集した作品のコレクションが表示される。
【００３５】
＜他のユーザーアカウントへのアクセス＞
図９は、他のユーザーのアカウントにアクセスしたときの電子端末機の表示装置に表示される情報を示す。
【００３６】
図９(a)は、アーティストのアカウントにアクセスした場合であり、アーティストのプロフィール、アーティストの作品一覧、オークション情報（出品状況、過去取引情報）、アーティストの作品が展示される展覧会などのイベントのお知らせ一覧、取引評価、アーティストがマークした他のユーザーのアカウント一覧、さらにアーティストがマークした他のアーティストの作品一覧、被マーク数などが表示される。
【００３７】
また、図９(b)は、レビュワーのアカウントにアクセスしたときに、ユーザー端末機の表示装置に表示される情報を示す。レビュワーのプロフィール、レビュワーのレビュー一覧、イベント情報、レビュワーがマークした他のユーザーのアカウント一覧、さらにレビュワーがマークしたアーティストの作品一覧、被マーク数などが表示される。
【００３８】
さらに、図９(c)は、コレクターのアカウントにアクセスしたときに、ユーザー端末機の表示装置に表示される情報を示す。コレクターのプロフィール、コレクターがもっている作品コレクション一覧、オークション情報（出品状況、過去取引情報）、イベント情報、取引評価、コレクターがマークした他のユーザーのアカウント一覧、さらにコレクターがマークしたアーティストの作品一覧、被マーク数などが表示される。
【００３９】
このように、他のユーザーのアカウントに「マーク」付けしておけば、そのユーザーのページ情報が更新されたとき、すぐに更新情報を受け取れるので、便利である。
【００４０】
特に、アーティストの作品履歴、レビュワーのレビュー履歴、コレクターの落札履歴などの重要な情報が常に開示されているので、オークションでの取引の公正化を図るとともに、活性化を促すことが可能となる。
【００４１】
（４）プライマリーオークションの第１の実施形態
図１０は、プライマリーオークションの第１の実施形態を説明する図である。
このプライマリーオークションはクローズド形式を採っており、入札状況は非公開である。従って、入札者が誰であるか、入札者が提示した購入希望価格がいくらであるかは非公開である。
【００４２】
アーティスト端末101から、自分の作品に関する出品データ（作品情報、価格情報、出品情報など）をサーバー102に送信し、サーバーが出品データを公開すると、プライマリーオークションが開始する（ステップ１）。
【００４３】
まずコレクターAから入札があったとする。コレクター端末103から送信されたコレクターAの入札データはサーバー102で受け付けられ（ステップ２）、オークションの入札期間内かどうかが判断される（ステップ３）。
【００４４】
入札期間内であれば、図１１に示すような本実施形態の入札処理がなされる（ステップ４）。入力したコレクターAの入札データは、サーバー102の制御装置110により制御され、バスライン107を通り記憶装置106の入札者メモリ領域108に格納される。次に、制御装置110は、予め、登録されているプロフィールメモリ領域109の中から同じコレクター名、すなわちコレクターAのプロフィールデータを検索した後、コレクターAの入札データにコレクターAのプロフィールデータを付加して、アーティスト端末101に送信する（ステップ５）。同時に落札者選定を要求する情報も送信する。
【００４５】
コレクターBから入札があったときも、同様な処理を経て、コレクターBの入札データにコレクターBのプロフィールデータを付加して、アーティスト端末101に送信する。このようにして、アーティスト端末には、コレクターの入札データとプロフィールデータとがセットになって送られてくる。これにより、アーティスト端末の表示装置では、入札データとプロフィールデータを同一画面で見ることができるというメリットがある。
【００４６】
プロフィールデータには、入札者の過去の取引上の評判や、身分などの履歴も記載されているので、アーティストは、入札データの入札価格情報や入札者のプロフィールを総合的に検討した上で落札者を決定する。
【００４７】
例えば、今回のプライマリーオークションの入札状況が、図１１に示すように、コレクターAが有名なコレクターで入札価格２５万円であり、コレクターBは一般コレクターで入札価格２７万円である。またコレクターCは初心者コレクターで入札価格３０万円であり、コレクターDは一般的コレクターで入札価格１８万円であったとする。
【００４８】
通常のオークションでは、最も高い入札価格を提示したコレクターCが落札者として自動的に決定されるが、本システムでは、入札価格が最も高いコレクターCが落札者になるとは限らない。プロフィールに記載されたオークション歴やコレクターのブランド力からみて、引き続いて行われるセカンダリーオークションでの転売価格が高くなることが期待できるとか、あるいは迅速な転売取引により利益を多く見積もることができる場合には、アーティストは有名コレクターAを落札者として選定することもできる。
【００４９】
コレクターAが落札者として選定されると、アーティスト端末101からその旨の通知が送信され、サーバー101はこれを受信し、コレクターAに通知する（ステップ６）。
【００５０】
コレクターAが落札者として決定すると、落札された作品がアーティストからコレクターAに渡され、その対価としてコレクターからアーティストに落札代金が渡される。アーティストは対価の一部をシステム利用手数料としてシステム管理者に支払う。
【００５１】
以上のように、本実施形態のオークションシステムにおいては、システム内において、アーティストの作品が自由に展示され、出品されるし、レビュワーはこれらの作品に関して自由に意見を開示することができる。また出品された作品に対して自由に入札できるので、アーティストの作品の取引を活性化することができる。
【００５２】
さらに、入札価格を含む入札データだけでなく、入札したコレクターのプロフィールを付加してアーティスト端末に送信しているので、アーティストは、落札者選定の判断の幅を広げることができる。また、本オークションシステムでは、落札者を選定する権限をアーティストに与えているので、アーティストは実質的に自分の作品に対してビジネスに参加することができる。これにより、アーティストは、創作意欲を、より一層、高めることができる。
【００５３】
（５）プライマリーオークションの第２の実施形態
第１の実施形態では、コレクターの入札データとともにコレクターのプロフィールを、サーバーからアーティスト端末に送信しているが、さらに本作品に関するレビュワーの意見や、レビュワーのプロフィールを付加して送信してもよい。
【００５４】
そのためには、予め、作品データと、該作品に関するレビュワーの意見と、レビュワーのプロフィールを検索可能とする共通の符号が必要である。例えば、作品データと作品に関するレビュワーの意見とを検索する共通の符号として、作品名データがある。また、作品に関するレビュワーの意見とレビュワーのプロフィールとを検索する共通の符号として、レビュワー名データがある。
【００５５】
（６）セカンダリーオークションの第１の実施形態
図１２は、作品Xの転売が行われる本発明のセカンダリーオークションの実施形態を説明する概要図である。アーティストによって落札者となったコレクターAが、購入した作品Xを転売するために本作品販売システムに出品したとする。なお、セカンダリーオークションはオープン形式であり、入札価格は公開される。
【００５６】
図１２に示すように、コレクターAの電子端末機から作品Xの作品情報、価格情報、出品情報、付加情報などの必要事項を記入する転売手続により、セカンダリーオークションが開始し、作品Xの転売情報が他のアーティスト、レビュワー、コレクターに開示される（ステップ11）。作品の入札に参加するのは、プライマリーオークションで不幸にも落札できなかったコレクターや新しく参入してきたコレクターなどである。
【００５７】
コレクター端末103から送信されたコレクターの入札データはサーバー102で受け付けられ（ステップ12）、オークションの入札期間内かどうかが判断される（ステップ13）。
【００５８】
入札期間内であれば、入札データが公開される（ステップ14）。所定の入札期間が経過すると、セカンダリーオークションが終了する。
【００５９】
セカンダリーオークションでは、サーバーは、入札期間内に受け付けた入札データの中のうち、最も高い価格を提示した入札データを検索し、当該入札データを提示したコレクターを落札者として決定する。そして、サーバーは、その旨を公開する。
【００６０】
例えば、一般コレクターEの入札価格が４０万円、有名なコレクターFの入札価格が４８万円、初心者コレクターGの入札価格が６０万円であり、一般コレクターHの入札価格が８０万円であったとする。この場合は、コレクターの知名度やブランド力に関係なく、入札価格が最も高い者が自動的に落札するので、一般コレクターHが落札者となる。
【００６１】
落札者Hは、作品XをコレクターAから受け取り、その対価としてコレクターAに落札価格を支払う。
【００６２】
本システムでは、落札価格の一部をアーティストに還元するように設定している。例えば、還元率を落札価格の１割と定めているとき、落札者からアーティストに８万円が還元される。従って、本実施形態によれば、アーティストは、プライマリーオークションの販売利益２５万円の他に、セカンダリーオークションの還元額８万円を加えて、総計３３万円を受け取ることができる。作品Xがセカンダリーオークションで転売が続けられるたびに、アーティストは転売価格の一部を手にすることができる。
【００６３】
このように、アーティストは、プライマリーオークションで得た作品の売却利益の他に、セカンダリーオークションで得た転売価格の一部を得ることができる。そして転売の回数が増えれば増えるほど、アーティストにそれに応じた利益が還元されるので、アーティストの作品への創作意欲は一層、高まることが期待できる。また、アーティストの創作意欲が高まることにより、優れた作品が生み出される機会が多くなるから、作品のオークションビジネスがより活発化する。
【００６４】
なお、セカンダリーオークションとは、当該作品のプライマリーオークションに続く、２回目以降のすべてのオークションのことをいう。還元率は、セカンダリーオークションの回数によって、変えるようにしてもよい。
【００６５】
（７）セカンダリーオークションの第２の実施形態
セカンダリーオークションの第２の実施形態は、落札者が作品を保持する期間の長さによって、次のセカンダリーオークションでの還元率を変えるものである。
【００６６】
図１３は、落札者が作品を落札してから次の転売手続きを行うまでに作品を保持する期間とアーティストへの還元率の関係を示す図である。図のように、作品保持期間が２週間までのとき２％、１ヶ月までのとき４％、３ヶ月までのとき６％、６ヶ月までのとき８％、１年までのとき１０％、１年を越えるとき１２％と、作品保持期間によって還元率を上げるように設定している。このように、作品保持期間が長くなるほど、アーティストへの還元率をアップしているので、落札者の作品保持期間の短縮を促すことができ、これによりセカンダリーオークションでの取引を活発化させることが可能となる。
【００６７】
（８）セカンダリーオークションの第３の実施形態
セカンダリーオークションの第３の実施形態は、プライマリーオークションおよびセカンダリーオークションの売買によってアーティストが得た収益によって、次のセカンダリーオークションでの還元率を変えるものである。
【００６８】
図１４は、アーティストへの還元率と、アーティストがある所定の期間に得た総売上高と、その前の期間に得た総売上高との差額との関係を示す図である。
【００６９】
たとえば、５月の売り上げが２００万円で、次の月の６月の総売り上げが２５０万円になったアーティストの場合、５０万円の売り上げ増加であるから、図１４を参照すると、次の７月の還元率は４％増える。
【００７０】
なお、説明を簡単にするために、図１４に示す例では、還元率が売上げ高の差額に比例した関係を示している。しかし、必ずしも比例させる必要はなく、その関係は実態に即して、適宜、調整しなければならないことは、言うまでもない。
【００７１】
このように、アーティストは自己の作品に対する評価の高まりに見合った報酬を手にすることができるから、よりいっそう創作意欲を高めることができる。
【００７２】
一方、アーティストへの還元率が高くなることは、落札者の利益がそれだけ少なくなることを意味するから、市場において当該アーティストの作品の売買が減少するように働く。従って、アーティスト作品が異常に過熱して投機的な売買になることを抑制することができる。
【００７３】
このように、本システムでは、アーティストの創作意欲の向上を図りながら、市場の活性化を合理的にコントロールできる。
【００７４】
（９）セカンダリーオークションの第４の実施形態
セカンダリーオークションの第４の実施形態は、アーティストの当期における総取引件数と該当期の直前の期の総取引件数との差額を、次の期の還元率の調整に用いるものである。
【００７５】
特に、上記第３の実施形態と第４実施形態とを組み合わせれば、すなわちアーティストに係る作品の総売上高の増減と総売買件数の増減に応じて還元率を調整すれば、実際の取引状態に即して、市場をより精密にコントロールすることができる。
【００７６】
（１０）レビュワーへの報酬
ある作品について発表したレビュワーのレビューを参考にした結果、コレクターが当該作品を落札した場合、このレビュワーの市場への貢献度を評価して、落札価格に応じて一定の報酬をレビュワーに与えるような、システムにすることもできる。
【００７７】
このように、レビュワーにも報酬を付与するようにすれば、レビュワーは、他のどのレビュワーよりも早く、良いアーティスト作品を発見しようと努力するであろう。これにより、優れたアーティスト作品の発見が促進され、オークションシステムの活性化とともに、オークションシステムの質が向上する。
【図面の簡単な説明】
【００７８】
【図１】図１は、本発明のシステム全体の構成を示す図である。
【図２】図２は、サーバーへのユーザーの登録手続および処理を示す図である。
【図３】図３は、ユーザーのアカウント登録手続を示す図である。
【図４】図４は、ユーザーのプロフィール登録手続を示す図である。
【図５】図５は、アーティストの作品登録手続を示す図である。
【図６】図６は、レビュワーの作品に関するレビューの登録手続を示す図である。
【図７】図７は、ユーザーのアカウント登録手続を示す図である。
【図８】図８は、自分のアカウントにアクセスしたときの表示を示す図である。
【図９】図９は、他のユーザーアカウントにアクセスしたときの表示を示す図である。
【図１０】図１０は、プライマリーオークションにおける処理を説明するフローチャートである。
【図１１】図１１は、サーバーの記憶装置に格納されたデータを示す図である。
【図１２】図１２は、セカンダリーオークションにおける処理を示す図である。
【図１３】図１３は、転売までの作品所持期間によってアーティストへの還元率を調整する関係を示す図である。
【図１４】図１４は、作品売買の売上高によってアーティストへの還元率を調整する関係を示す図である。
【符号の説明】
【００７９】
１・・・インターネット（通信回線）
２・・・アーティスト端末
３・・・レビュワー端末
４・・・コレクター端末
５・・・サーバー
101・・・アーティスト端末
102・・・サーバー
103・・・認証機関
104・・・ユーザー端末
105・・・レビュワー端末
106・・・記憶装置
107・・・バスライン
108・・・入札者メモリ領域
109・・・プロフィールメモリ領域
110・・・制御装置
【図１】
0004279343.tif 000002
【図２】
0004279343.tif 000003
【図３】
0004279343.tif 000004
【図４】
0004279343.tif 000005
【図５】
0004279343.tif 000006
【図６】
0004279343.tif 000007
【図７】
0004279343.tif 000008
【図８】
0004279343.tif 000009
【図９】
0004279343.tif 000010
【図１０】
0004279343.tif 000011
【図１１】
0004279343.tif 000012
【図１２】
0004279343.tif 000013
【図１３】
0004279343.tif 000014
【図１４】
0004279343.tif 000015